(57)【特許請求の範囲】
【請求項１】
上側、背側および下側においてトップアッセンブリ（５）、背壁アッセンブリ（４）およびボトムアッセンブリ（２）によって画定された冷却室を備えていて、前記ボトムアッセンブリ（２）が、高さ調節可能な前側および後側の設置足（７０，７１）を用いて設置床に支持されている、冷蔵ケースであって、
前記前側および／または後側の設置足（７０，７１）は、上から接近可能な高さ調節機構を備えていて、該高さ調節機構を介して上から前記ボトムアッセンブリ（２）を通して高さ調節可能であり、
当該冷蔵ケース（１）は、背側に配置されたサイド鉛直ストラット（４０）、サイドトップストラット（５０）およびサイドボトムストラット（２０）を備えた、少なくとも２つのＣ字形のサイドフレーム（１０）を有しており、該サイドフレーム（１０）は、前記背壁アッセンブリ（４）、前記トップアッセンブリ（５）および前記ボトムアッセンブリ（２）のカバーパネルと冷却装置（６）のコンポーネントとを保持しており、前記前側および／または後側の設置足（７０，７１）は、前記サイドボトムストラット（２０）に固定されており、
前記サイドボトムストラット（２０）では、前記前側および後側の設置足（７０，７１）は、下側および上側の壁部分を通して案内されており、前記ボトム側の中間ストラット（２１）では、前記前側および後側の設置足（７０，７１）は、側部のＵ字の脚によって形成された壁部分に取り付けられている
ことを特徴とする、冷蔵ケース。
【請求項２】
前記高さ調節機構は、上から鉛直な回転軸線を中心にして回転可能な高さ調節エレメントを有している、請求項１記載の冷蔵ケース。
【請求項３】
前記高さ調節エレメントは、その上側領域に工具収容部を備えたねじ山付ボルト（７００，７１０）である、請求項２記載の冷蔵ケース。
【請求項４】
前記ボトムアッセンブリ（２）に、前記高さ調節機構への接近のために該高さ調節機構の上方に、それぞれの貫通部および／またはボトムカバー（２２，２３）のような取外し可能なボトムカバーエレメントが設けられている、請求項１から３までのいずれか１項記載の冷蔵ケース。
【請求項５】
当該冷蔵ケース（１）は、その両方の側部領域から平行に内方に向かって間隔をおいて配置された少なくとも１つの中間フレーム（１０’）を有しており、該中間フレーム（１０’）は、前記背壁アッセンブリ（４）、前記トップアッセンブリ（５）および前記ボトムアッセンブリ（２）のカバーパネルならびに前記冷却装置（６）のコンポーネントを保持する、背側に配置された鉛直な中間ストラット（４１）、トップ側の中間ストラット（５１）およびボトム側の中間ストラット（２１）を備えており、かつ前記前側および／または後側の設置足（７０，７１）の一部が、少なくとも１つのボトム側の中間ストラット（２１）に固定されている、請求項１から４までのいずれか１項記載の冷蔵ケース。
【請求項６】
前記サイドボトムストラット（２０）および／または少なくとも１つの前記ボトム側の中間ストラット（２１）に、雌ねじ山が直接取り付けられているかまたは雌ねじ山を備えた部材が位置固定に取り付けられており、
ねじ山付ボルト（７００，７１０）として形成された前記高さ調節エレメントは、前記雌ねじ山内において、前記ボトムストラット（２０）または前記ボトム側の中間ストラット（２１）に対して鉛直方向で軸方向において位置変化しながら、回転可能であるか、または
逆に、雌ねじ山を備えた、軸方向に運動可能な回転可能な部分が、高さ調節可能な足部分として設けられていて、該足部分が、雄ねじ山を備えた位置固定の部分を中心にして回転可能である、請求項１から５までのいずれか１項記載の冷蔵ケース。
【請求項７】
前記サイドフレーム（１０）および／または前記少なくとも１つの中間フレーム（１０’）は、その後側領域に、それぞれの鉛直な支持ストラット（８０）を備えており、該支持ストラット（８０）は、前記サイド鉛直ストラット（４０）および／または少なくとも１つの前記鉛直な中間ストラット（４１）から間隔をおいて、前記サイドトップストラット（５０）と所属の前記サイドボトムストラット（２０）との間、および／または少なくとも１つの前記トップ側の中間ストラット（５１）と前記ボトム側の中間ストラット（２１）との間に取り付けられており、
前記支持ストラット（８０）に、前記冷却室を後方に向かって画定する背壁部分（４２，４３）が取り付けられており、
前記後側の設置足（７１）は、前記支持ストラット（８０）の前に配置されている、
請求項１から６までのいずれか１項記載の冷蔵ケース。
【請求項８】
前記冷却室を分離する断熱プレートが、前記サイド鉛直ストラット（４０）、前記サイドトップストラット（５０）および前記サイドボトムストラット（２０）の内側、ならびに場合によって存在する少なくとも１つの鉛直な中間ストラット（４１）、トップ側の中間ストラット（５１）およびボトム側の中間ストラット（２１）の内側に配置されている、請求項１から７までのいずれか１項記載の冷蔵ケース。
【請求項９】
当該冷蔵ケース（１）の背側領域において前記サイド鉛直ストラット（４０）および／または前記少なくとも１つの鉛直な中間ストラット（４１）に、該サイド鉛直ストラット（４０）および／または該中間ストラット（４１）の下端部分に、支持位置におよび支持位置から移動可能な安全支持エレメント（７２）が取り付けられている、請求項１から８までのいずれか１項記載の冷蔵ケース。
【発明の詳細な説明】
【技術分野】
【０００１】
本発明は、上側、背側および下側においてトップアッセンブリ、背壁アッセンブリおよびボトムアッセンブリによって画定された冷却室を備えていて、ボトムアッセンブリが、高さ調節可能な前側および後側の設置足を用いて設置床に支持されている、冷蔵機器（Kuehlgeraet）に関する。
【０００２】
このような形式の冷蔵ケース（Kuehlregel）は、独国実用新案第２０２００６００７１５２号明細書に開示されている。この公知の冷蔵ケースは、ボトムモジュール、背壁モジュール、カバーモジュールおよび、鉛直なスタンド成形体を備えたスタンドモジュールを有しており、スタンド成形体には、前方に向かって突出した上側の横桁および下側の横桁が溶接されている。下側の横桁は、ボトムモジュールに設けられた収容部に差し込まれて、ボトムモジュールにおいて固定される。ボトムモジュールは、断熱されたボトムパンから成っており、このボトムパンには、熱交換器およびファンアッセンブリが挿入されている。ボトムモジュールは、その下側において床に向かって高さ調節可能な前側および後側の設置足で支持されており、このとき設置足の取付けに対しては、詳しい説明がなされていない。
【０００３】
独国実用新案第２９７１７４４４号明細書、国際公開第２０１１／０７４９９３号および国際公開第２０１１／０７４９９４号にも、後側および前側の設置足において支持された、ボトムアッセンブリを備えた冷蔵ケースが示されている。
【０００４】
このような冷蔵ケースにおける高さ調節は、しばしば簡単には実施することができない。
【０００５】
ゆえに本発明の課題は、冒頭に述べた形式の冷蔵ケースを改良して、設置足の問題のない高さ調節が可能である冷蔵ケースを提供することである。
【０００６】
この課題は、請求項１に記載の特徴によって解決される。請求項１記載の構成では、前側および／または後側の設置足は、上から接近可能な高さ調節機構を備えていて、該高さ調節機構を介して上からボトムアッセンブリを通して高さ調節可能である。このように構成されていると、高さ調節機構は、冷却室から問題なく接近可能であり、かつ高さ調節時における操作が簡単になる。
【０００７】
操作および機能のための好適な態様では、高さ調節機構は、上から鉛直な回転軸線を中心にして回転可能な高さ調節エレメントを有している。
【０００８】
操作のために好適な別の態様では、高さ調節エレメントは、その上側領域に工具収容部を備えたねじ山付ボルトである。
【０００９】
操作のためにさらに好適な別の態様では、ボトムアッセンブリに、高さ調節機構への接近のために該高さ調節機構の上方に、それぞれの貫通部および／またはボトムカバーのような取外し可能なボトムカバーエレメントが設けられている。
【００１０】
安定した構造および確実な機能のために好適な態様では、冷蔵ケースは、背側に配置されたサイド鉛直ストラット、サイドトップストラットおよびサイドボトムストラットを備えた、少なくとも２つのＣ字形のサイドフレームを有しており、該サイドフレームは、背壁アッセンブリ、トップアッセンブリおよびボトムアッセンブリのカバーパネルと冷却装置のコンポーネントとを保持しており、前側および／または後側の設置足は、サイドボトムストラットに固定されている。
【００１１】
安定性および機能に関してさらなる利点が得られる別の態様では、冷蔵ケースは、その両方の側部領域から平行に内方に向かって間隔をおいて配置された少なくとも１つの中間フレームを有しており、該中間フレームは、背壁アッセンブリ、トップアッセンブリおよびボトムアッセンブリのカバーパネルならびに冷却装置のコンポーネントを保持する、背側に配置された鉛直な中間ストラット、トップ側の中間ストラットおよびボトム側の中間ストラットを備えており、かつ前側および／または後側の設置足の一部が、少なくとも１つのボトム側の中間ストラットに固定されている。
【００１２】
別の好適な態様では、サイドボトムストラットおよび／または少なくとも１つのボトム側の中間ストラットに、雌ねじ山が直接取り付けられているかまたは雌ねじ山を備えた部材が位置固定に取り付けられており、ねじ山付ボルトとして形成された高さ調節エレメントは、雌ねじ山内において、ボトムストラットまたはボトム側の中間ストラットに対して鉛直方向で軸方向において位置変化しながら、回転可能であるか、または逆に、雌ねじ山を備えた、軸方向に運動可能な回転可能な部分が、高さ調節可能な足部分として設けられていて、該足部分が、雄ねじ山を備えた位置固定の部分を中心にして回転可能である。
【００１３】
安定した構造および確実な機能のためにさらに好適な態様では、サイドボトムストラットでは、前側および後側の設置足は、下側および上側の壁部分を通して案内されており、ボトム側の中間ストラットでは、前側および後側の設置足は、側部のＵ字の脚によって形成された壁部分に取り付けられている。
【００１４】
冷蔵ケースの安定性および設置確実性を高めるために、別の好適な態様では、サイドフレームおよび／または少なくとも１つの中間フレームは、その後側領域に、それぞれの鉛直な支持ストラットを備えており、該支持ストラットは、サイド鉛直ストラットおよび／または少なくとも１つの鉛直な中間ストラットから間隔をおいて、サイドトップストラットと所属のサイドボトムストラットとの間、および／または少なくとも１つのトップ側の中間ストラットとボトム側の中間ストラットとの間に取り付けられており、支持ストラットに、冷却室を後方に向かって画定する背壁部分が取り付けられており、後側の設置足は、支持ストラットの前に配置されている。
【００１５】
冷蔵ケースの構造を好適にする別の態様では、冷却室を分離する断熱プレートが、サイド鉛直ストラット、サイドトップストラットおよびサイドボトムストラットの内側、ならびに場合によって存在する少なくとも１つの鉛直な中間ストラット、トップ側の中間ストラットおよびボトム側の中間ストラットの内側に配置されている。高さ調節機構には、冷却室から簡単に接近可能であるので、この構成においても高さを簡単に調節することができる。
【００１６】
運搬および設置確実性のために好適な別の態様では、冷蔵ケースの背側領域においてサイド鉛直ストラットおよび／または少なくとも１つの鉛直な中間ストラットに、該サイド鉛直ストラットおよび／または該中間ストラットの下端部分に、支持位置におよび支持位置から移動可能な安全支持エレメントが取り付けられている。
【００１７】
次に図面を参照しながら、実施形態によって本発明を詳説する。
【図面の簡単な説明】
【００１８】
【図１】ボトムアッセンブリ、背壁アッセンブリ、トップアッセンブリおよび２つの側壁を備えた冷蔵ケースを、斜め前上から見た斜視図である。
【図２】Ｃ字形のサイドフレームおよび中間フレームならびに冷却装置のコンポーネントを備えた、冷蔵ケースのフレーム枠を示す図である。
【図３】中間フレームを分解状態において示す斜視図である。
【図４Ａ】中間フレームのトップ側の中間ストラットを示す斜視図である。
【図４Ｂ】図４Ａに示したトップ側の中間ストラットを背側から見た図である。
【図４Ｃ】中間フレームの後側における上端部領域の一部を、トップ側の中間ストラットと鉛直な中間ストラットとが互いに引き離された状態において示す斜視図である。
【図５Ａ】中間フレームの下側における角隅領域の一部を、鉛直な中間ストラットと後側の設置足を備えたボトム側の中間ストラットとが互いに引き離された状態において示す斜視図である。
【図５Ｂ】図５Ａに示した部分に相当する、中間フレームの一部を、支持ブロックを加えて示す図である。
【図５Ｃ】図５Ｂに相当する中間フレームの一部を、図５Ｂとは反対の側から示す斜視図である。
【図５Ｄ】支持ブロックなしに断熱性のボトムカバーと共に中間フレームを示す、図５Ｃに相当する斜視図である。
【図５Ｅ】ボトム側の中間ストラット、鉛直な中間ストラットおよび、ボトム側の中間ストラットに配置されたプレート状の断熱性の２つのボトムカバーと共に、中間フレームの下側領域の別の一部を、部分的に破断して示す図である。
【図５Ｆ】前側の設置足を備えたボトム側の中間ストラットの前側部分を示す斜視図である。
【図５Ｇ】部分的に覆われたボトムアッセンブリ、背壁アッセンブリおよび側壁を備えた、冷蔵ケースの下側における端部側領域の一部を斜め前から見て示す斜視図である。
【図５Ｈ】図５Ｇに示した冷蔵ケース部分を斜め後ろから見て示す斜視図である。
【図５Ｉ】サイドフレームを分解状態において示す斜視図である。
【図５Ｊ】図５Ｉに示したサイドフレームの下側における後側の角隅領域を分解状態において示す斜視図である。
【図６Ａ】側壁挿入前における下側の側部領域の冷蔵ケースの一部を示す図である。
【図６Ｂ】取付けステップが象徴的に示されている、冷蔵ケースの上側の側部領域の一部を示す図である。
【図６Ｃ】側壁のための取付けステップが象徴的に示されている、冷蔵ケースの一部を示す図である。
【図６Ｄ】取付けステップが象徴的に示されている、図１に示した冷蔵ケースを示す図である。
【図６Ｅ】最初に部分的に取り付けられた側壁を備えた、図１に示した冷蔵ケースを示す図である。
【００１９】
図１には、冷却室を下側、後側、上側および側部において画定するボトムアッセンブリ２、背壁アッセンブリ４、トップアッセンブリ５および２つの側壁３を備えた、冷蔵ケース１が斜視図で示されている。冷却室およびその中に収容された物品を冷却するために、冷却装置６が設けられており、この冷却装置６のうちの幾つかのコンポーネントが、つまり制御ユニットを備えた冷却装置ユニット６０および熱交換器６２が示されており、この冷却ユニット６０および熱交換器６２は、トップアッセンブリ５の中もしくは上に収容されている。冷却空気用の流路、コンプレッサおよびファンのような、冷却装置６のその他のコンポーネントは、背壁アッセンブリ４およびボトムアッセンブリ２に収容されている。
【００２０】
ボトムアッセンブリ２は、前側に向かって架台カバーユニット２４によって閉鎖され、かつ冷却室に向かって複数のプレート状のボトムカバー２３によって閉鎖されており、かつ例えばプラスチックフォームから成る１つまたは複数の断熱性のボトムカバーと、複数の冷却通路の部分とを有しており、これらの冷却通路の部分は、背側において、背壁アッセンブリ４における冷却空気通路の対応する部分に移行している。
【００２１】
背壁アッセンブリ４は、冷却室に向かって、複数のプレート状のエレメントによって、つまり下側の背壁部分４２およびその上に位置している背壁部分４３によって、閉鎖されており、このとき特に背壁部分４３は、冷却室内に冷却空気を流出させる多数の開口を備えている。図１には、さらに鉛直な支持ストラット８０も示されており、これらの支持ストラット８０は、冷蔵ケース１のフレーム枠（ちなみに、この図には示されていない）を安定化させるために役立ち、かつさらに背壁部分４２，４３を取り付けるため、および棚板を保持する、前方に向かって冷却室内に突出する支持アーム（同様に図示されていない）を懸吊するために形成されている。そのために支持ストラット８０は、画定されたラスタ間隔をおいて設けられた複数の孔を備えた孔列を有している。また背壁アッセンブリ４およびトップアッセンブリ５もまた、冷却室に対して、冷却通路の外側を取り囲む断熱性の断熱プレートを備えている。側壁３もまた同様に、断熱材料によって被覆されていても、もしくは断熱材料から製造されていてもよい。ファンによって促進された冷却空気流は、ほぼ閉鎖された回路において、ボトムアッセンブリ２、背壁アッセンブリ４、トップアッセンブリ５を通って、かつ冷却エアカーテンにおいて上から下に向かって前側を介して流れ、このとき冷却空気流は、トップアッセンブリ５の前側領域における多層カバーを介して下方に向かって流出し、ボトムアッセンブリ２の前方の上側領域において、多層格子を介して、冷却空気通路の、ボトムアッセンブリ２に形成された部分内に、再び流入する。トップアッセンブリ５の前側領域には、前側領域において冷却室を閉鎖するローラカーテンが設けられていてよく、このように構成されていると、例えば販売時間以外に冷却通気を冷却室内に貯えることができる。
【００２２】
図２に示すように、冷蔵ケース１は支持構造体として、フレーム枠（Rahmengestell）を有しており、このフレーム枠は、側面図で見てＣ字形の複数のフレーム、すなわち２つのサイドフレーム１０と、好ましくは規則的な間隔をおいて両サイドフレーム１０の間に配置された中間フレーム１０’とを備えており、このとき図２には、２つの中間フレーム１０’が設けられている。互いに連続するフレームの間の間隔は、例えば、幅（１列）１.２５ｍの通常の棚モジュールの幅に相当し、これによって図１および図２に示したケース装置は、例えば３列形式に構成され、例えば３.７５ｍの幅を有している。中間フレーム１０’を介して、棚モジュールの好ましい安定しかつ連続した結合が達成される。このときサイドフレーム１０および中間フレーム１０’は、カバーパネル、特に断熱性の断熱板に対して、冷蔵ケース１の外側に配置されているので、外側に向かってのコールドブリッジは回避され、さらに冷蔵ケース１の構成時における組立てステップが促進される。サイドフレーム１０および中間フレーム１０’は、下側にボトム支持部７を備えており、このボトム支持部７は、前側および後側の設置足７０，７１を有している。さらに、図示の実施形態では、サイドフレーム１０の下部において背側に、追加的な設置安全性のために働く調節可能な安全支持エレメント７２が配置されている。
【００２３】
図２にはさらに、背壁アッセンブリ４に配置されたファン６１およびトップアッセンブリ５に配置されたファン６１’が示されている。
【００２４】
サイドフレーム１０はそれぞれ、サイド鉛直ストラット４０と、このサイド鉛直ストラット１０の下端部に取り付けられていて奥行き方向において前方に向かって突出するサイドボトムストラット２０と、サイド鉛直ストラット１０の上端部に取り付けられていて奥行き方向において前方に突出するサイドトップストラット５０とを有している。中間フレーム１０’はそれぞれ、鉛直な中間ストラット４１と、この鉛直な中間ストラット４１の下端部領域に取り付けられていて前方に向かって突出するボトム側の中間ストラット２１と、鉛直な中間ストラット４１の上端部領域に取り付けられていて前方に向かって突出するトップ側の中間ストラット５１とを有している。サイド鉛直ストラット４０をサイドボトムストラット２０に結合するために、（場合によっては別の結合エレメントに加えて）下側領域に補強アングル９０が取り付けられていてよく、この補強アングル９０は、前方および上方に向かってボトムストラット２０および鉛直ストラット４０に沿って方向付けられた脚を備えている。ボトムストラット２０、トップストラット５０、ボトム側の中間ストラット２１およびトップ側の中間ストラット５１は、好ましくは水平に、つまり対応配置された鉛直ストラット４０もしくは鉛直な中間ストラット４１に対して直角に方向付けられている。フレーム１０もしくは中間フレーム１０’を補強するために、ボトムストラット２０と対応するトップストラット５０との間、およびボトム側の中間ストラット２１と対応するトップ側の中間ストラット５１との間には、図１に示した支持ストラット８０が、鉛直ストラット４０もしくは鉛直な中間ストラット４１から等しい間隔をおいて、冷蔵ケース１の後側領域に取り付けられており、このとき支持ストラット８０の端面側の端部は、断熱性の支持ブロック８１を介して、ボトムストラット２０もしくはボトム側の中間ストラット２１に支持されていて、かつまた、支持ストラット８０の上端部と対応配置されたトップストラット５０もしくはトップ側の中間ストラット５１との間にも、相応の断熱性エレメントが配置されており、これによって、外側に位置するフレーム部分へのコールドブリッジを回避することができる。それというのは、支持ストラット８０ならびに、サイド鉛直ストラット４０、鉛直な中間ストラット４１、サイドボトムストラット２０、ボトム側の中間ストラット２１、サイドトップストラット５０およびトップ側の中間ストラット５１として形成された水平および垂直なフレーム脚も、必要な安定性と良好な取付け可能性を保証するために、好ましくは金属、特に鋼から形成されているからである。中間フレーム１０’に取り付けられた支持ストラット８０は、例えば両側においても、背壁平面に対して平行に折り曲げられた取付けフランジを有している。サイドフレーム１０に取り付けられた支持ストラット８０では、しかしながら好ましくは、内方に向かって背壁平面に対して平行に向けられたただ１つの取付けフランジだけが設けられており、これに対して、外方に向かって延びる取付けフランジは設けられていない。
【００２５】
図２がさらに示すように、サイドフレーム１０と中間フレーム１０’とは互いに異なった構造を有している。サイド鉛直ストラット４０は、ハット形の横断面を有する成形体として形成されていて、つまり横断面Ｕ字形の中央部分と、Ｕ字の脚の外方に向かって直角に折り曲げられた自由端部とを備えている。この構造によって、好適な取付け可能性が生じ、このときＵ字のウェブと外方に向かって直角に折り曲げられたＵ字の脚とは、互いに確定されて互いに間隔をおいて平行に位置するフランジ状の取付け面を形成し、これらの取付け面には、適宜な箇所に取付け孔が設けられていてよい。サイドフレーム１０のサイドトップストラット５０も、鉛直ストラット４０に相応して、ハット形の横断面を有する成形体から形成されている。鉛直ストラット４０においてもトップストラット５０においても、成形体中空室は外方に向かって開放されている。これは、フレーム脚相互の安定した取付けのみならず、プレート状のカバーパネルおよび側壁３の取付け時における利点をも生ぜしめる。これに対してサイドボトムストラット２０は、好ましくは、閉鎖された直角のまたは正方形の中空成形体から、またはＣ字形の成形体として構成されており、これによって、ボトム支持部７との関連における高い安定性、および同時に鉛直ストラット４０および側壁３のための良好な取付け可能性が生じる。
【００２６】
中間フレーム１０’では、鉛直な中間ストラット４１およびトップ側の中間ストラット５１は同様に、ハット形の横断面を有する成形体から成っており、このとき横断面における成形体寸法は、好ましくは鉛直ストラット４０およびトップストラット５０の成形体寸法に相当している。しかしながらトップ側の中間ストラット５１は、その開口側が下方に向かって冷却室へと向けられており、これによって冷却室の内部およびトップアッセンブリ５の外側において、より良好な取付け可能性を得ることができる。そのためにトップ側の中間ストラット５１は、その上側に切欠き５１０を備えており、これらの切欠き５１０は、図示の実施形態ではほぼ前側１／３から後側の端部分の近傍にまで延びている。これらの切欠き５１０内には、上側に、例えば好ましくは、熱交換器６２のような冷却装置６のコンポーネントを、確定して配置することができる。ボトム側の中間ストラット２１もまた同様に、ハット形の横断面を有する成形体から形成されており、このとき成形体中空室の開口は、上から冷却室に向かって方向付けられている。これによって形成された、上側に位置している折り曲げられた側面は、カバーエレメントおよび例えば支持ブロック８１のための好適な取付け面を生ぜしめる。中央の成形体部分のＵ字の脚の側面において、前側および後側の設置足７０，７１は対応する収容部に、安定的にかつ調節可能に収容されている。ボトム側の中間ストラット２１の成形体横断面は、鉛直な中間ストラット４１もしくはトップ側の中間ストラット５１の成形体横断面よりも広幅であり、これによって、より好都合な取付け可能性を得ることができる。
【００２７】
図３には、中間フレーム１０’の分解状態が斜視図で示されている。このときトップ側の中間ストラット５１の切欠き５１０を、明瞭に認識することができ、この切欠き５１０には、後側における上側の固定部分５１１が接続しており、この固定部分５１１の端面には、鉛直な中間ストラット４１がそのＵ字形部分の、固定部分５１１の端面に向けられたウェブで、直接または、中間部材を介して間接的に接触させられ、かつ背側から鉛直な中間ストラット４１の対応する孔を貫いて導入された、固定ねじである固定手段５１３を用いて緊締される。このとき固定ねじは、固定部材５１２におけるねじ山を備えた固定孔にねじ込まれる。固定部材５１２は、トップ側の中間ストラット５１の長手方向軸線に対して直角に、該中間ストラット５１に設けられた横方向スリットに導入されている。
【００２８】
鉛直な中間ストラット４１の下側部分とボトム側の中間ストラット２１との結合もまた、ボトム側の中間ストラット２１の端面において行われる。そのために、ボトム側の中間ストラット２１の下側における後側の固定部分２１０には、接触部材が挿入されており、この接触部材に、下においてさらに詳しく説明するように、鉛直な中間ストラット４１が固定される。
【００２９】
図３にはさらに、安定したプラスチック材料から成る断熱性の支持ブロック８１を、ボトム側の中間ストラット２１の外方に向かって方向付けられたフランジ状の部分に、固定ねじ８１０を用いて取り付ける形態が示されている。図３にはさらに、前側および後側の設置足７０，７１をボトム側の中間ストラット２１に取り付ける形態が示されている。そのために、ボトム側の中間ストラット２１のＵ字形部分のＵ字の脚には、収容部が設けられていて、この収容部は雌ねじ山を備えているかまたは雌ねじ山に結合されており、これによって前側もしくは後側の設置足７０，７１のねじ山付ボルト７００，７１０を高さ調節可能に収容することができる。ねじ山付ボルトは、上方に向かって、ボトム側の中間ストラット２１の上側面を越えて突出し、その上側部分に工具のための嵌合部、例えば六角棒スパナ用の収容部を有している。この構成によって、前側および後側の設置足７０，７１は、上から、つまり冷蔵ケース１の内室から問題なく調節することができる（回転方向および高さ方向における図示の矢印参照）。特に、冷蔵ケース１の背側に対して前方に向かって幾分、支持ストラット８０の領域にまで、しかも支持ストラット８０の長手方向軸線のさらに幾分前にずらされている、後側の設置足７１も、このようにして高さ調節のために簡単に操作することができる。支持ブロック８１および場合によっては、カバーエレメントは、相応の接近開口を有している、もしくは簡単な形式では、工具嵌合部の領域からもたらすことができる。このとき前側および後側の設置足７０，７１は、Ｕ字形部分の２つの異なった脚に設けられており、これによって安定性が高められる。
【００３０】
図４Ａには、上側の固定部分５１１およびその内部において横方向スリット内に挿入された固定部材５１２を備えた、トップ側の中間ストラット５１が拡大図で示されており、このとき固定部材５１２は、鉛直な中間ストラット４１を取り付けるための前記固定ねじ５１３用のねじ山付孔を備えている。さらに、成形体の上方に向けられたＵ字形部分における切欠き５１０を、明瞭に認識することができる。Ｕ字のウェブと外方に向かって直角に折り曲げられた脚には、対応するコンポーネントを取り付けるための取付け開口が設けられている。
【００３１】
図４Ｂには、トップ側の中間ストラット５１が背面図で示されており、このとき、好ましくは雌ねじ山を備えている孔５１４が、固定部材５１２の中央領域に配置されており、この固定部材５１２はそのサイド部分が、外方に向かってトップ側の中間ストラット５１のＵ字の脚を越えて、そこに設けられた横方向スリットを貫いて突出している。鉛直な中間ストラット４１を良好にセンタリングできるようにするために、固定部材５１２は遊びをもって横方向スリットに挿入されていて、トップ側の中間ストラット５１のＵ字の脚の領域に、対応する保持切欠きを有している。遊びをもって横方向スリット内に挿入された固定部材５１２を簡単に導入および保持するために、固定部材５１２は、Ｕ字の脚の領域において上下に、２つの溝状の切欠きを有しており、このとき下側の切欠きは、外側に斜めの側面を備え、内側に急勾配の側面を備えており、かつ上側の切欠きは、外側に急勾配の側面を備え、内側に斜めの側面を備えている。図４Ｂは、中間ストラット５１の折り曲げられたフランジ（サイドフランジ）５１５をも示している。
【００３２】
図４Ｃには、トップ側の中間ストラット５１の上側における後側の固定部分５１１と、対応する鉛直な中間ストラット４１の対応配置された部分とが示されている。トップ側の中間ストラット５１の端面側の端部には、中間ストラット５１の長手方向軸線に対して直角に中間部材５１６が取り付けられており、この中間部材５１６は、鉛直な中間ストラット４１のＵ字のウェブのための、確定された安定した支持を形成する。中間部材５１６の上には、トップ側の中間ストラット５１のＵ字のウェブの１つの縁部が突出しており、この縁部の端部には、さらに突出する固定ノーズ５１７が取り付けられている。この固定ノーズ５１７は、鉛直な中間ストラット４１の上側部分における適合された収容開口４１３に導入され、位置決め補助を提供する。次いで、緊締ねじとして形成された固定手段５１３を、位置適正に配置された孔４１２と、この孔４１２に合わせられた、中間部材５１６における孔（図においては見えない）とを貫いて、固定部材５１２のねじ山付孔にねじ込むことができ、これによって、鉛直な中間ストラット４１をトップ側の中間ストラット５１に緊締することができる。
【００３３】
図５Ａ〜図５Ｅには、後側の設置足７１を備えたボトム側の中間ストラット２１の後側領域と、鉛直な中間ストラット４１の下側部分とが示されている。鉛直な中間ストラット４１のＵ字の脚は、後方に向かって突出する側部の固定ノーズ２１２の間にセットされ、これらの固定ノーズ５１２は、後方に向かって、ボトム側の中間ストラット２１のＵ字の脚からまたは、ボトム側の中間ストラット２１の後端面に当て付けられた接触部材２１３から突出している。このとき側部の固定ノーズ２１２の間隔は、鉛直な中間ストラット４１のＵ字形部分の外側の間隔に合わせられている。側部の固定ノーズ２１２と鉛直な中間ストラット４１のＵ字の脚とには、互いに合致する貫通開口が設けられており、これらの貫通開口を貫いて保持ねじ２１１が横方向に貫通させられ、これによって鉛直な中間ストラット４１とボトム側の中間ストラット２１とを緊締することができる。簡単な位置決めおよび固定のために、接触部材２１３の上側の縁部領域には、別の固定ノーズ２１２が後方に向かって突出しており、この固定ノーズ２１２は、鉛直な中間ストラット４１のＵ字のウェブに設けられた、位置および形状を合わせられた固定開口４１４に係合する。接触部材２１３は、例えば、ボトム側の中間ストラット２１に対して軸方向に導入される保持ねじを用いて、固定されていてよく、この保持ねじは、ボトム側の中間ストラット２１の横方向スリットに挿入された、ねじ山付孔を備えた緊締部材に、ねじ込まれている。
【００３４】
図５Ａにはさらに、後側の設置足７１が示されており、この設置足７１は、ボトム側の中間ストラット２１のＵ字形部分２１４の１つのサイド脚において、円筒形の収容部に安定的に固定されている。この収容部は、それ自体雌ねじ山を備えているか、または、雌ねじ山を収容するねじナットに結合されているので、後側の設置足７１はそのねじ山付ボルトで、鉛直方向において高さ調節可能に案内されている。本実施形態では六角棒スパナ収容部である工具嵌合部を備えたねじ山付ボルト７１０は、ボトム側の中間ストラット２１の上側を越えて突出しており、このとき外方に向かって折り曲げられた対応するフランジ部分２１５は、ねじ山付ボルト７１０の貫通箇所において切り欠かれている。特に後側の設置足７１の領域（および同様に前側の設置足７０の領域においても）における安定性を高めるために、ボトム側の中間ストラット２１のＵ字形部分を貫いて、ねじが横方向に貫通されていてもよく、これによってＵ字の脚はその方向付けにおいて安定化させられる。折り曲げられたフランジ部分２１５には、さらに、例えば支持ブロック８１用の固定孔２１６と固定ねじ８１０の貫通部が設けられている。図５Ｂには、固定ねじ８１０を用いた支持ブロック８１の取付け形態が示されている。さらに同様に、ボトム側の中間ストラット２１における鉛直な中間ストラット４１の記載した固定形式および後側の設置足７１の取付け形態および高さ調節形態を見ることができ、このとき回転および高さ調節は、矢印によって象徴的に示されている。
【００３５】
図５Ｃには、ボトム側の中間ストラット２１における鉛直な中間ストラット４１のＵ字形部分４１０の取付け形態が示されており、このとき鉛直な中間ストラット４１の側部のフランジ部分４１１は、緊締された状態において、側部の固定ノーズ２１２の端面を越えて突出している。このとき固定ノーズ２１２は、図５Ａおよび図５Ｂに示した実施形態においてもそうであってよいように、ボトム側の中間ストラット２１のＵ字の脚の突出部分として形成されている。このとき接触部材２１３は、側部の固定ノーズ２１２の間に収容されていて、単にその上側領域においてだけ、固定ノーズ２１２を越えて側部に突出する部分で、特に、ボトム側の中間ストラット２１の外方に向かって折り曲げられた段付けされたフランジ部分２１５の端面に接触し、かつ下側領域においては、例えば相応に段付けされたＵ字の脚の端面に安定的に支持されている。さらに図５Ｃには、同様に、ボトム側の中間ストラット２１に取り付けられた、ねじ山付ボルト７１０を備えた後側の設置足７１と、固定ねじ８１０を用いた支持ブロック８１の取付け形態が、図５Ｂとは異なる側からの斜視図で示されている。
【００３６】
図５Ｄからも、上に述べた形式による、ボトム側の中間ストラット２１における鉛直な中間ストラット４１の取付け形態が分かる。さらに、ねじ山付ボルト７１０を備えた後側の設置足７１も示されている。別のコンポーネントとして、例えばプラスチックフォームから成る断熱性のボトムカバー２２が示されており、このボトムカバー２２は、ボトム側の中間ストラット２１の、該ボトムカバー２２に向けられた斜めに面取りされたフランジ部分２１５に載置されていて、このフランジ部分２１５に例えばねじまたはその他の固定手段を用いて結合されていてよい。ねじ山付ボルト７１０の領域において、ボトムカバー２２は貫通部を備えており、これによって、高さ調節のための工具をねじ山付ボルト７１０内に導入することおよび高さ調節を目的として回転させることができる。図５Ｄから分かるように、ボトムカバー２２の下側においてねじ山付ボルト７１０の領域には、切欠きが設けられており、この切欠きには支持ブロック８１を挿入することができ、この支持ブロック８１も同様に、ねじ山付ボルト７１０のための相応の切欠きを有している。支持ブロック８１の上には、拡幅された設置足を備えた鉛直な支持ストラット８０が載置されるので、ボトムにおいて支持される後側の設置足７１の領域においては高い安定性が得られる。上からの調節可能性によって、冷蔵ケース１の背側から前方に向かって間隔をおいて位置する後側の設置足７１の簡単な操作が達成される。
【００３７】
図５Ｅには、ボトム側の中間ストラット２１がその全長にわたって示されており、この中間ストラット２１の後側の固定部分には、鉛直な中間ストラット４１が上に述べた形式で取り付けられている。両方のフランジ部分２１５には、図示の実施形態では別個の断熱性のボトムカバー２２が載置されており、両ボトムカバー２２の間には、シールのために、例えばきのこ状の横断面を有するパッキン（図示せず）が挿入される。図５Ｅには、上に述べた形式でボトム側の中間ストラット２１に取り付けていて上から調節可能である後側の設置足７１の他に、ねじ山付ボルト７００を備えた前側の設置足７０も示されており、ねじ山付ボルト７００はその上側部分に同様に、例えば六角棒スパナ収容部のような工具嵌合部を備えており、対応するボトムカバー２２の前側領域における貫通部を介して高さ調節のために上から接近可能である。前側の設置足７０の取付け形態は、好ましくは後側の設置足７１に相応して、上において述べたように形成されていている。しかしながらこのとき、円筒形の収容部は、ボトム側の中間ストラット２１のＵ字形部分の、後側の設置足７１とは反対側に位置するＵ字の脚に設けられていて、前側の設置足７０はこのＵ字の脚に配置されている。これによって高さ調節は簡単に上から可能である。従って高さ調節は、前側の設置足７０が程度の差こそあれ冷蔵ケース１の前縁部から後方に向かって大きくずらされている場合においても、困難にならない。追加的な支持可能性として、図５Ｅには、ボトム側の中間ストラット２１のＵ字のウェブに対して下方に向かって突出していてＵ字のウェブに結合されているヨーク状の支持部分２１７が示されている。
【００３８】
さらにボトム側の中間ストラット２１は、その前側部分に、前側の固定部分２１８を備えており、この固定部分２１８には、前側の架台エレメント（Sockelelement）もしくはカバーエレメントを取り付けることができる。そのために前側の固定部分２１８は、ボトム側の中間ストラット２１の長手方向軸線に対して直角に方向付けられたフラットな接触部分を、ボトム側の中間ストラット２１の端面に有している。
【００３９】
図５Ｆには、ボトム側の中間ストラット２１の前側部分が、図５Ｅとは反対に位置する側から見た斜視図で拡大して示されている。図面には、ねじ山付ボルト７００を備えた前側の設置足７０の高さ調節可能な構成、ボトム側の中間ストラット２１の一方のＵ字の脚におけるねじ山付ボルト７００の取付け形態、支持部分２１７および前側の固定部分２１８が示されている。ねじ山付ボルト７００の領域において、ボトム側の中間ストラット２１の対応する折り曲げられたフランジ部分２１５は、後側の設置足７１の領域におけると同様に穿孔されている。
【００４０】
図５Ｇには、背壁部分４３、サイド鉛直ストラット４０および支持ストラット８０を備えた背壁アッセンブリ４の一部と、サイドボトムストラット２０、後側の設置足７１およびボトムカバー２３を備えたボトムアッセンブリ２の一部と、架台カバーユニット２４の一部と、側壁３の一部とを含む、下側における側部のケース部分が示されている。図面には、サイド鉛直ストラット４０とサイドボトムストラット２０との間における結合アングル９０も示され、かつさらに、支持位置にもたらされた、後側領域における安全支持エレメント７２が示されている。後側の設置足７１は、支持ストラット８０に対して、簡単な接近可能性のために幾分ずらされていて、かつ支持ストラット８０の基部における貫通部を介して上から高さ調節のために接近可能である。支持ストラット８０の長手方向軸線の近傍に後側の設置足７１を配置することによって、この後側のケース領域において強められて発生する大きな重量を受け止めることができる。つまり一方では、後側の壁領域においてサイド鉛直ストラット４０もしくは鉛直な中間ストラット４１と、そこから前方に向かって間隔をおいて位置する支持ストラット８０との間には、背壁アッセンブリ４において形成された中間室に、種々様々な冷却コンポーネント、特に気化器、ファン６１および場合によってはコンプレッサのような熱交換器が配置されていてよく、かつ他方において、支持ストラット８０には、前方に向かって冷却室内に突出する、収容される物品のための支持アームが懸架される。
【００４１】
図５Ｈには、図５Ｇに似て、冷蔵ケース１の下側の角隅領域の一部が示されているが、ここでは背側からの斜視図で示されている。この図５Ｈにおいても、サイドボトムストラット２０、このサイドボトムストラット２０の後側の固定部分２１０において該サイドボトムストラット２０に取り付けられたサイド鉛直ストラット４０、およびサイドボトムストラット２０の上側に支持された、支持足を備えた支持ストラット８０が示されている。さらには、前側の設置足７０および後側の設置足７１のねじ山付ボルト７１０を認識することができ、かつまた支持位置にもたらされた安全支持エレメント７２も示されており、この安全支持エレメント７２は、サイド鉛直ストラット４０から取外し可能もしくは上方旋回可能にねじを用いて取り付けられている。
【００４２】
図５Ｉには、サイド鉛直ストラット４０、サイドトップストラット５０およびサイドボトムストラット２０を備えたサイドフレーム１０が、分解状態において斜視図で示されている。サイド鉛直ストラット４０は、サイドトップストラット５０の後側の固定部分に、中間フレーム１０’との関連において既に述べたような相応の形式で固定される。しかしながらこのときサイドトップストラット５０の開口側は、トップ側の中間ストラット５１と異なり、上方に向かって１８０°回転させられていて、Ｕ字の部分領域には切欠きをも有していない。それというのは、側部領域には、例えばトップに配置された、冷却装置６の冷却コンポーネントのようなトップ構造体のための取付け可能性は、まったくまたは少なくとも僅かしか必要ないからであり、かつ安定性および側壁取付けのための利点がさらに生じる。これについては以下においてさらに述べる。
【００４３】
サイド鉛直ストラット４０は、同様に緊締ねじを用いてサイドトップストラット５０に結合され、このときサイド鉛直ストラット４０のＵ字のウェブは、サイドトップストラット５０の後端面に対して、間にセットされる中間部材を備えてまたはこのような中間部材なしに、緊締される。
【００４４】
サイド鉛直ストラット４０の下側部分は、そのＵ字のウェブで、サイドボトムストラット２０の端面に、中間部材を介してまたは中間部材を介さずに、緊締される。サイドボトムストラット２０の後端部分において固定部材が、例えば雌ねじ山を備えたサイドボトムストラット２０の横方向スリットに挿入され、これによってサイド鉛直ストラット４０を、結合エレメント５１３を用いて、特に、サイド鉛直ストラット４０のＵ字のウェブにおける合わせられた開口を通して案内される緊締ねじを用いて、安定的に結合することができる。従って図示の実施形態では、サイド鉛直ストラット４０とサイドボトムストラット２０との間における結合が、鉛直な中間ストラット４１とボトム側の中間ストラット２１との間の結合とは異なった形で実現されており、むしろ、サイド鉛直ストラット４０の上側部分とサイドトップストラット５０との間の固定形式に相当している。補足的にサイド鉛直ストラット４０の下側部分とサイドボトムストラット２０の後側部分とは、補強アングル９０を介して、緊締ねじである結合エレメント９００を用いて結合され、このとき補強アングル９０は、サイド鉛直ストラット４０の、冷却室に向いて位置するＵ字の脚と、サイドボトムストラット２０の、冷却室に向いて位置する内側における側部の成形脚とに接触させられ、そこでねじ結合され、これによって補強アングル９０は大きな重量にも抗することができる。
【００４５】
図５Ｉにはさらに、サイドボトムストラット２０の下側において突出する前側の設置足７０および後側の設置足７１が示されており、両設置足７０，７１は同様に好ましくは、上からまたはしかしながらサイドから高さ調節可能に形成されていることができ、それというのは、設置足７０，７１は、冷蔵ケース１の側縁部の近傍に配置されているからである。設置足７０，７１は、サイドボトムストラット２０においてその下側の成形脚におよび好ましくはその上側の成形脚にも保持されている。それというのは、サイドボトムストラット２０は、上において述べたように、正方形の、長方形の、またはＣ字形の中空成形体として形成されているからである。安全支持エレメント７２は、図示の実施形態では、支持位置にではなく、上方に向かって方向付けられていて、サイド鉛直ストラット４０の下端部に取外し可能に取り付けられる。
【００４６】
図５Ｊには、図５Ｉに示したサイドフレーム１０の後側における下側の角隅領域が拡大して示されている。図面には、サイドボトムストラット２０を下側の成形脚および上側の成形脚（ボトムストラット２０の下側壁部分および上側壁部分）を通して貫く、後側の設置足７１のねじ山付ボルト７１０の貫通部、ならびに上からの調節可能性が示されている。ボトムストラット２０に設置されたカバーパネルまたは支持エレメントまたはこれに類したものには、ねじ山付ボルト７１０の軸方向において貫通部が設けられており、これによって、例えば六角棒スパナ収容部のような、ねじ山付ボルト７１０の工具嵌合部は、問題なく上から接近可能である。また図面には、鉛直ストラット４０のＵ字のウェブをボトムストラット２０の、該Ｕ字のウェブに向けられた端面に緊締する緊締ねじとして形成された、固定手段５１３、結合エレメント９００を用いて鉛直ストラット４０およびボトムストラット２０に取り付けられる結合アングル９０、および、上方に向かって支持しない位置に旋回させられた安全支持エレメント７２も示されている。冷蔵ケース１に関して背壁に対して平行に内方に向かって延びるフランジ部分４１１はまた、補強アングル９０の上方に向けられた脚のための安定した接触部および安全支持エレメント７２の、該脚に対して平行に位置する縁部のための安定した接触部をも形成している。
【００４７】
図６Ａ〜図６Ｅには、側壁３の配置形態および固定形態が詳しく示されている。既に図５Ｉにおいて示したように、サイドトップストラット５０の、冷蔵ケース１に関して外側に位置する側には、上側の保持対応エレメント５００が取り付けられており、これらの保持対応エレメント５００は、上方に向かって突出する舌片状の保持脚を有しており、これらの保持脚には、図示の実施形態では鉛直方向に配置された長手方向スリットが設けられている。さらに冷蔵ケース１の下側の側部領域には、下側の保持対応エレメント２００が取り付けられている（図６Ａ参照）。側壁３は、上側の保持エレメントを用いて上側の保持対応エレメント５００に取り付けられ、かつ、以下において記載するように、下側の保持エレメントを用いて下側の保持対応エレメント２００に取り付けられている。
【００４８】
図６Ａには、冷蔵ケース１の、１つの下側の側部領域が、該側部領域に取り付けられる対応する側壁３と共に示されている。下側の保持対応エレメント２００は、アングル状に形成されており、このとき下方に向かって延びる脚は、側壁３に対して平行に側部の架台領域（Sockelbereich）において安定的に、サイドボトムストラット２０に、例えばその外側に直接固定されているか、またはしかしながら、ボトムストラット２０に取り付けられた中間エレメント、例えば側部の安定した架台条片（Sockelleiste）を介して間接的に固定されている。側部の架台条片の上方において、下側の保持対応エレメント２００の第２の脚は、冷蔵ケース１の側部平面もしくは冷蔵ケース１に取り付けられた側壁３の側部平面に対して直角に突出している。下側の保持対応エレメント２００の側部に突出する脚には、差込み開口２０１が配置されており、この差込み開口２０１は、図示の実施形態では、側壁に対して平行に方向付けられた長手方向スリットとして形成されている。少なくとも２つのこのような保持対応エレメント２００が、相応の高さにおいて、冷蔵ケース１の下側の側縁部領域に、互いに間隔をおいて取り付けられている（図６Ａ参照）。対応する側壁３の下側部分において、下側の保持エレメント３１は、下側の保持対応エレメント２００の位置に合わせられた位置に取り付けられている。図示の実施形態では、下側の保持エレメント３１は、側壁３の平面に対して直角に内方に向けられた下縁部に取り付けられており、そのために下側の保持エレメント３１もまた同様に、アングル状に形成されていて、側壁３の平面に対して平行に下方に向けられた脚を備えており、この脚は、差込み開口２０１に合わせられていて、この差込み開口２０１に差込み可能である。上側に位置する折り曲げられた脚によって、下側の保持エレメント３１は、側壁３の、直角に内方に向けられた下縁部に、特にねじ結合によって取り付けられている。下側の保持対応エレメント２００の数に相応して、側壁３はその下縁部に、複数の下側の保持エレメント３１を備えており、これらの保持エレメント３１は、その位置および寸法を、下側の保持対応エレメント２００もしくはその差込み開口２０１に合わせられている。
【００４９】
第１の取付けステップにおいて、側壁３は下側の保持エレメント３１で、差込み開口２０１に上から差し込まれ、次いで、背壁アッセンブリ４およびトップアッセンブリ５の、対応配置された側縁部に接触させられる（図６Ｂに象徴的に示された矢印参照）。
【００５０】
図６Ｂにさらに示されているように、上側の保持対応エレメント５００はＺ字形に形成されており、このとき側壁に対して平行に方向付けられた下側の脚は、サイドトップストラット５０の外側のＵ字の脚の内側に接触し、かつ中央の脚は、サイドトップストラット５０の外方に向けられたフランジ部分に載置され、サイドトップストラット５０の外縁部にまで達している。サイドトップストラット５０の、奥行き方向において延びる長さにわたって、図示の実施形態では、互いに間隔をおいて位置する２つの上側の保持対応エレメント５００が配置されていて、例えばねじを用いて、下方に向けられた脚において、トップストラット５０の外側に位置するＵ字の脚に結合されている。しかしながらまた、このとき別の結合手段を用いることも可能である。上側の保持対応エレメント５００の上方を向いた外側に位置する脚は、前記スリット状の開口を備えていて、これらの開口は、図示の実施形態では、鉛直に方向付けられている。
【００５１】
対応する側壁３には、位置および寸法を上側の保持対応エレメント５００に合わせられた上側の保持エレメント３０が、取り付けられており、これらの保持エレメント３０を用いて側壁３は、上側の保持対応エレメント５００に例えば保持ねじ３００またはその他の保持手段を用いて固定される。上側の保持エレメント３０は、図示の実施形態では、冷却室に向かって内方に直角に向けられた上縁部に取り付けられていて、横断面において直角形状を有している。このとき側壁３の平面に対して垂直に方向付けられた脚が、側壁３の、直角に内方に向けられた縁部に接触させられていて、この縁部に例えばねじを用いて固定されている。上側の保持エレメント３０の、側壁３の平面に対して平行に上方に向けられた脚は、取り付けられた側壁３に関してその位置が、対応配置された上側の保持対応エレメント５００の位置に合わせて方向付けられていて、かつ保持ねじ３００のための貫通開口を有している。この貫通開口は、図示の実施形態では水平方向に延びるスリット状の開口として形成されており、この開口はこれによって、上側の保持対応エレメント５００のスリット状の開口に対して直交するように方向付けられており、これにより側壁３の水平方向および鉛直方向の調整可能性が与えられている。上側の保持対応エレメント５００の数および位置に相応して、該保持対応エレメント５００に位置および寸法を合わせられた複数の上側の保持エレメント３０が、側壁３に取り付けられている（図６Ｂ参照）。
【００５２】
図６Ｃ、図６Ｄおよび図６Ｅには、冷蔵ケース１の側壁３の取付け時における手順が明らかに示されている。図６Ｃに示すように、まず、側壁３の下側の保持エレメント３１が、下側の保持対応エレメント２００に挿入され、次いで側壁３の上側領域が、トップアッセンブリ５および背壁アッセンブリ４の側縁部に向かって、もしくはトップストラット５０および鉛直ストラット４０の側縁部に向かって旋回させられる。次いで側壁３は、上側の保持エレメント３０を用いて、上側の保持対応エレメント５００に保持ねじ３００によって固定される。
【００５３】
冷蔵ケース１は、好ましくは冷却装置６を備えて構成されており、この冷却装置６は、トップに配置された斜めのプレート型熱交換器を有しており、このプレート型熱交換器は、側部における大きな捕集管を介して、背壁アッセンブリ４における別の冷却コンポーネントに接続されている。別の有利な構成は、冷蔵ケース１のトップにおけるハイブリッドユニットにある。ハイブリッドユニットは、比較的低い室温が存在している場合のための、冷蔵ケース１の周囲に熱を放出する空気冷却機能を備えたプレート型熱交換器と、冷蔵ケース１の周囲温度または、冷蔵ケース１から離れた空間に熱を排出するための他の必要性が問題になる場合に、中央の熱交換器に接続される追加的な熱交換器と、を有している。ハイブリッドユニットは、制御された切換えが、例えば冷蔵ケース１の周囲温度に関連して制御装置を用いて行われるように構成されている。プレート型熱交換器のためには、空気流における短絡を回避するために、冷蔵ケース１の背側を介した特別な空気案内部が設けられている。
【００５４】
別の好適な構成は、冷却装置６のコンプレッサの配置に関する。コンプレッサ用のコンプレッサハウジングは、コンプレッサの形状に合わせられていて、このとき側部の固定フランジおよび下部の閉鎖壁を備えた、プラスチック製のハーフシェル状の外被が設けられている。コンプレッサハウジングは、背壁の下側部分に、例えば幅に関して中央領域において配置されており、このとき取付けは内側から行われる。この構成は、外側からの取付けに対して、空気案内、断熱、遮音および冷却室からの接近可能性において利点を有しており、このとき、背側から前方に向かって間隔をおいて位置する支持ストラット８０を備えた背壁アッセンブリ４の構成は、利点を提供する。
【図１】
0006370393.tif 000002
【図２】
0006370393.tif 000003
【図３】
0006370393.tif 000004
【図４Ａ】
0006370393.tif 000005
【図４Ｂ】
0006370393.tif 000006
【図４Ｃ】
0006370393.tif 000007
【図５Ａ】
0006370393.tif 000008
【図５Ｂ】
0006370393.tif 000009
【図５Ｃ】
0006370393.tif 000010
【図５Ｄ】
0006370393.tif 000011
【図５Ｅ】
0006370393.tif 000012
【図５Ｆ】
0006370393.tif 000013
【図５Ｇ】
0006370393.tif 000014
【図５Ｈ】
0006370393.tif 000015
【図５Ｉ】
0006370393.tif 000016
【図５Ｊ】
0006370393.tif 000017
【図６Ａ】
0006370393.tif 000018
【図６Ｂ】
0006370393.tif 000019
【図６Ｃ】
0006370393.tif 000020
【図６Ｄ】
0006370393.tif 000021
【図６Ｅ】
0006370393.tif 000022